(57)【要約】      （修正有）【課題】周波数特性やコンピュータ処理との整合性を改善するアンテナ、アレイアンテナ及びコンピュータ断層診断装置用アンテナ装置を提供する。【解決手段】アンテナ１は、面状のパッチアンテナ２と、パッチアンテナ２に対向して配置され、且つ、パッチアンテナ２に給電する給電ライン６を囲む、凹形の面状のテーパ形バラン３と、を備える。給電ライン６は、給電点５に接続される。テーパ形バラン３は、接地部４に接続される。アンテナ１は、ボウタイアンテナの形状に類似したダイポールアンテナとして機能する。【選択図】図１
2020145673.tif 000002
【特許請求の範囲】
【請求項１】
面状の第１アンテナ素子と、
前記第１アンテナ素子に対向して配置され且つ前記第１アンテナ素子に給電する給電ラインを囲む凹形の面状の第２アンテナ素子と、
を備えるアンテナ。
【請求項２】
前記第２アンテナ素子の面積は前記第１アンテナ素子と同程度の面積である、
請求項１に記載のアンテナ。
【請求項３】
前記第１アンテナ素子の給電ライン側の端部に、前記給電ラインとは異なる向きのスリットが設けられた、
請求項１又は２のいずれか１項に記載のアンテナ。
【請求項４】
前記第１アンテナ素子と前記給電ラインとが、前記第１アンテナ素子の短手方向の中点部において接続されている
請求項１又は２のいずれか１項に記載のアンテナ。
【請求項５】
前記第１アンテナ素子の長手方向の対辺の長さが互いに一致している
請求項４に記載のアンテナ。
【請求項６】
前記第２アンテナ素子の両端部は階段形状を有する、
請求項１から５のいずれか１項に記載のアンテナ。
【請求項７】
請求項１から６のいずれか１項に記載のアンテナが同一面内に複数配置されたアレイアンテナ。
【請求項８】
コンピュータ断層診断装置に使用されるアンテナ装置において、
請求項１から６のいずれか１項に記載のアンテナが同一面内に複数配置されたアレイアンテナが、被検体が内側に配置される直方体形状のアンテナ容器の六つの面のうちいずれか一つ又は複数の面に設けられた、コンピュータ断層診断装置用アンテナ装置。
【発明の詳細な説明】
【技術分野】
【０００１】
本発明は、アンテナ、アレイアンテナ及びコンピュータ断層診断装置用アンテナ装置に関する。
【背景技術】
【０００２】
従来、乳房内の異物を検出するマイクロ波を用いたマンモグラフィ装置が、例えば特許文献１に記載されている。特許文献１に記載されるマイクロ波マンモグラフィ装置は、被検体に対して、複数のマイクロ波照射器から周波数を変えながら順次マイクロ波を照射し、被検体からの散乱波を複数の受信器で同時受信して、当該散乱波の強度および位相から被検体の異物の位置および大きさを検出している。このマイクロ波マンモグラフィ装置では、クロストークが小さい誘電体積層ダイポールアンテナを用いることにより、複数の受信器で同時受信する際のクロストークを低減している。また、トモグラフィ計算アルゴリズムとして、ＦＢＴＳ（Ｆｏｒｗａｒｄ−Ｂａｃｋｗａｒｄ  Ｔｉｍｅ−Ｓｔｅｐｐｉｎｇ）法を用いている。
【先行技術文献】
【特許文献】
【０００３】
【特許文献１】特開２０１７−１５８８３５号公報
【発明の概要】
【発明が解決しようとする課題】
【０００４】
しかし、上述した従来のマイクロ波マンモグラフィ装置では、アンテナの周波数特性が不十分であり、より広い周波数特性を実現するアンテナが要望されている。また、ＦＢＴＳ法の計算との整合性がよいアンテナが要望されている。
【０００５】
本発明は、このような事情を考慮してなされたものであり、その目的は、周波数特性やコンピュータ処理との整合性を改善することができる、アンテナ、アレイアンテナ及びコンピュータ断層診断装置用アンテナ装置を提供することにある。
【課題を解決するための手段】
【０００６】
（１）本発明の一態様は、面状の第１アンテナ素子と、前記第１アンテナ素子に対向して配置され且つ前記第１アンテナ素子に給電する給電ラインを囲む凹形の面状の第２アンテナ素子と、を備えるアンテナである。
（２）本発明の一態様は、前記第２アンテナ素子の面積は前記第１アンテナ素子と同程度の面積である、上記（１）のアンテナである。
（３）本発明の一態様は、前記第１アンテナ素子の給電ライン側の端部に、前記給電ラインとは異なる向きのスリットが設けられた、上記（１）又は（２）のいずれかのアンテナである。
（４）本発明の一態様は、前記第１アンテナ素子と前記給電ラインとが、前記第１アンテナ素子の短手方向の中点部において接続されている上記（１）又は（２）のいずれかのアンテナである。
（５）本発明の一態様は、前記第１アンテナ素子の長手方向の対辺の長さが互いに一致している（４）のアンテナである。
（６）本発明の一態様は、前記第２アンテナ素子の両端部は階段形状を有する、上記（１）から（５）のいずれかのアンテナである。
【０００７】
（７）本発明の一態様は、上記（１）から（６）のいずれかのアンテナが同一面内に複数配置されたアレイアンテナである。
【０００８】
（８）本発明の一態様は、コンピュータ断層診断装置に使用されるアンテナ装置において、上記（１）から（６）のいずれかのアンテナが同一面内に複数配置されたアレイアンテナが、被検体が内側に配置される直方体形状のアンテナ容器の六つの面のうちいずれか一つ又は複数の面に設けられた、コンピュータ断層診断装置用アンテナ装置である。
【発明の効果】
【０００９】
本発明によれば、周波数特性やコンピュータ処理との整合性を改善することができる、アンテナ、アレイアンテナ及びコンピュータ断層診断装置用アンテナ装置を提供することができるという効果が得られる。
【図面の簡単な説明】
【００１０】
【図１】本発明の一実施形態に係るアンテナの構成を示す平面図である。
【図２】図１に示すアンテナへの給電配線の接続方法を説明するための側面図である。
【図３】図１に示すアンテナの寸法を説明するための平面図である。
【図４】図１に示すアンテナの周波数特性のシミュレーション結果を示すグラフ図である。
【図５】図１に示すアンテナの周波数特性のシミュレーション結果を示すグラフ図である。
【図６】本発明の一実施形態に係るアレイアンテナの構成を示す平面図である。
【図７】本発明の一実施形態に係るコンピュータ断層診断装置用アンテナ装置の構成を示す斜視図である。
【図８】本発明の変形例に係るアンテナの構成を示す平面図である。
【図９】図８に示すアンテナの周波数特性のシミュレーション結果を示すグラフ図である。
【図１０】図８に示すアンテナの周波数特性のシミュレーション結果を示すグラフ図である。
【発明を実施するための形態】
【００１１】
以下、図面を参照し、本発明の実施形態について説明する。
図１は、一実施形態に係るアンテナの構成を示す平面図である。図１に示されるアンテナ１は、パッチアンテナ２と、テーパ形バラン３とを備える。パッチアンテナ２は、面状の第１アンテナ素子である。テーパ形バラン３は、パッチアンテナ２に対向して配置され且つパッチアンテナ２に給電する給電ライン６を囲む凹形の面状の第２アンテナ素子である。給電ライン６は給電点５に接続される。テーパ形バラン３は、接地部４に接続される。テーパ形バラン３は、接地部４に半田付けされてもよい。パッチアンテナ２及びテーパ形バラン３は、平面状であってもよい。
【００１２】
パッチアンテナ２の給電ライン６側の端部には、給電ライン６とは異なる向きのスリット（切れ込み）７が設けられる。図１の構成例では、スリット７と給電ライン６とは直交又は略直交する。スリット７と給電ライン６とが成す角度は、４５度以上であってもよい。
【００１３】
テーパ形バラン３の両端部３ａ，３ｂは階段形状を有する。図１の構成例では、給電ライン６を中心線として端部３ａと端部３ｂとが対称の形状である。各端部３ａ，３ｂの階段形状の段数は任意である。
【００１４】
パッチアンテナ２とテーパ形バラン３とから構成されるアンテナ１は、ダイポールアンテナとして機能する。より具体的には、当該アンテナ１は、ボウタイアンテナの形状に類似したダイポールアンテナとして機能する。
【００１５】
図２は、図１に示すアンテナへの給電配線の接続方法を説明するための側面図である。
図２には、アンテナ１のテーパ形バラン３の部分の側面図が示される。図２に示されるように、給電配線１１は、アンテナ１の上面側から給電点５に接続される。給電配線１１から給電点５及び給電ライン６を介してパッチアンテナ２へ給電が行われる。
【００１６】
図３は、図１に示すアンテナの寸法を説明するための平面図である。図３において、Ｌはアンテナ１の全長である。Ｗはテーパ形バラン３の全幅である。Ｔはスリット７の深さである。
【００１７】
アンテナ１の全長Ｌは、アンテナ１の低周波特性に影響を与える。したがって、アンテナ１の所望の低周波特性に基づいて、アンテナ１の全長Ｌを決めればよい。
【００１８】
スリット７の深さＴは、アンテナ１の高周波特性に影響を与える。より具体的には、スリット７の深さＴは、アンテナ１の高周波特性の平坦さに影響を与える。したがって、アンテナ１の高周波特性の所望の平坦さに基づいて、スリット７の深さＴを決めればよい。
【００１９】
テーパ形バラン３の両端部３ａ，３ｂが階段形状であることによって、パッチアンテナ２とテーパ形バラン３との間の距離が段階的に変化する。これにより、平衡線路から同軸線路への変換およびインピーダンス整合を図ると共に、ダイポールアンテナとしての共振波長が多様になり、アンテナ１の周波数特性の平坦さに寄与する。したがって、アンテナ１の所望のインピーダンス整合及び周波数特性の平坦さに基づいて、テーパ形バラン３の全幅Ｗ及び各端部３ａ，３ｂの階段形状を決めればよい。
【００２０】
なお、テーパ形バラン３の面積は、パッチアンテナ２の面積と同程度の面積になるように構成してもよい。テーパ形バラン３の面積がパッチアンテナ２の面積と同程度の面積であるとは、テーパ形バラン３の面積が、パッチアンテナ２の面積に等しい又はパッチアンテナ２の面積に対して許容できる一定の増減範囲内であることを言う。このようにすることにより、アンテナ１の周波数特性の平坦さに寄与する。
【００２１】
また、アンテナ１の各サイズＬ，Ｗ，Ｔ及びテーパ形バラン３の各端部３ａ，３ｂの階段形状は、コンピュータミュレーションにより最適化するようにしてもよい。
【００２２】
図４及び図５は、図１に示すアンテナの周波数特性のシミュレーション結果を示すグラフ図である。図４において、横軸は周波数（単位はＧＨｚ）を示し、縦軸はＳ１１パラメータ（単位はｄＢ）を示す。図４に示されるグラフ３１は、Ｓ１１パラメータのシミュレーション結果である。Ｓ１１パラメータは、アンテナ１の入力電力と反射電力との比であって、入力電力から減った分だけアンテナ１から放射していることを表すものである。図５において、横軸は周波数（単位はＧＨｚ）を示し、縦軸はＳ２１パラメータ（単位はｄＢ）を示す。図５に示されるグラフ３２は、Ｓ２１パラメータのシミュレーション結果である。Ｓ２１パラメータは、２つのアンテナ間の伝達特性を示すものである。
【００２３】
図４のグラフ３１及び図５のグラフ３２のシミュレーション条件を以下に示す。
アンテナ１の各サイズＬ，Ｗ，Ｔは以下である。
アンテナ１の全長Ｌ：４２ミリメートル
スリット７の深さＴ：３．２ミリメートル
テーパ形バラン３の全幅Ｗ：２３．２ミリメートル
【００２４】
図４のＳ１１パラメータのシミュレーション結果のグラフ３１において、１ＧＨｚから７ＧＨｚまでの周波数で「−６ｄＢ以下」になっている。この結果から、アンテナ１は、１ＧＨｚから７ＧＨｚまでの周波数で、入力電力の７５％を放射することが分かる。
【００２５】
図５のＳ２１パラメータのシミュレーションでは、ＦＲＰ（Ｆｉｂｅｒ  Ｒｅｉｎｆｏｒｃｅｄ  Ｐｌａｓｔｉｃｓ：ガラス繊維強化プラスチック）ブロックにより１２センチメートル離して正対させた１対のアンテナ１を使用している。図５のＳ２１パラメータのシミュレーション結果のグラフ３２においては、ＦＲＰブロックにより１２ｃｍ離して正対させた１対のアンテナ１について、１ＧＨｚから７ＧＨｚまでの周波数で「−３０ｄＢ以上」の伝達特性を示している。この結果から、アンテナ１は、１ＧＨｚから７ＧＨｚまでの周波数で、「−３０ｄＢ以上」伝達することが分かる。
【００２６】
上述した図４及び図５に示すミュレーション結果から、アンテナ１は、１ＧＨｚから７ＧＨｚまでの周波数で良好な周波数特性であることが分かる。
【００２７】
図６は、本実施形態に係るアレイアンテナの構成を示す平面図である。図６に示されるアレイアンテナ５０は、図１に示すアンテナ１が同一面内に複数配置される。図６の例では、９個のアンテナ１（１ａ，１ｂ，１ｃ，１ｄ，１ｅ，１ｆ，１ｇ，１ｈ，１ｉ）が同一面内に配置される。
【００２８】
アンテナ１ａ，１ｂ，１ｄ，１ｅ，１ｇ，１ｈと、アンテナ１ｃ，１ｆ，１ｉとは、アンテナ１の向きが９０度異なっている。これは、アンテナ１がダイポールアンテナとして機能することにより、アンテナ１の電場ベクトルが長手方向になるように偏光するので、９０度異なる偏光も送受信できるようにするためである。
【００２９】
また、図６の例では、複数のアンテナ１が最密になるように配置されている。ここで、上記の図２に示されるように、給電配線１１は、アンテナ１の上面側から給電点５に接続される。したがって、図６のアレイアンテナ５０では、各アンテナ１ａ−１ｉへの給電配線１１を、アレイアンテナ５０と同じ面上に配置しなくてもよい。これにより、本実施形態に係るアンテナ１によれば、給電配線１１の配置面積を確保しなくてもよいので、アレイアンテナにおいて効率的に複数のアンテナ１を配置することができ、アンテナの最密度が向上する。
【００３０】
次に本実施形態に係るアンテナ１の適用例を説明する。ここでは、アンテナ１の一適用例として、図６に示されるアレイアンテナ５０を、コンピュータ断層診断装置（Ｃｏｍｐｕｔｅｄ  Ｔｏｍｏｇｒａｐｈｙ：ＣＴ）に適用する場合を説明する。
【００３１】
図７は、本実施形態に係るコンピュータ断層診断装置用アンテナ装置の構成を示す斜視図である。図７に示されるコンピュータ断層診断装置（ＣＴ）用アンテナ装置１００は、ＣＴの一例であるマンモグラフィ装置に使用されるアンテナ装置である。ＣＴ用アンテナ装置１００は、例えば、乳房内の異物を検出するマイクロ波を用いたマンモグラフィ装置に使用してもよい。
【００３２】
図７に示されるＣＴ用アンテナ装置１００は、直方体形状のアンテナ容器１２０を備える。アンテナ容器１２０は、筐体１１０の内部に配置される。アンテナ容器１２０の内側には乳房カップ１２１が配置される。乳房カップ１２１は、被検体である乳房（人の乳房）が入る半球状または凹曲面状の窪みが形成されている。これにより、被検体である乳房がアンテナ容器１２０の内側に配置されることになる。
【００３３】
また、アンテナ１が同一面内に複数配置されたアレイアンテナ５０が、アンテナ容器１２０の六つの面のうちいずれか一つ又は複数の面に設けられる。つまり、アンテナ容器１２０は、被検体である乳房が内側に配置される直方体形状のアンテナ容器であって、アンテナ１が同一面内に複数配置されたアレイアンテナ５０が当該アンテナ容器の六つの面のうちいずれか一つ又は複数の面に設けられたものである。
【００３４】
図７の例では、アレイアンテナ５０は、アンテナ容器１２０の上面１２０ｆ以外の５つの面（４つの側面１２０ａ，１２０ｂ，１２０ｃ，１２０ｄ及び底面１２０ｅ）のうちいずれか一つ又は複数の面に設けられる。アレイアンテナ５０は、例えば、アンテナ容器１２０の上面１２０ｆ以外の全ての５つの面１２０ａ，１２０ｂ，１２０ｃ，１２０ｄ，１２０ｅに設けられてもよい。又は、アレイアンテナ５０は、アンテナ容器１２０の４つの側面１２０ａ，１２０ｂ，１２０ｃ，１２０ｄのうちいずれか一つ又は複数の面のみに設けられてもよい。又は、アレイアンテナ５０は、アンテナ容器１２０の４つの側面１２０ａ，１２０ｂ，１２０ｃ，１２０ｄのうちいずれか一つ又は複数の面と底面１２０ｅとのみに設けられてもよい。なお、図７には、アンテナ容器１２０の六つの面のうち一側面１２０ａに設けられたアレイアンテナ５０のみが図示される。
【００３５】
乳房カップ１２１、アンテナ容器１２０及び筐体１１０は、人の乳房と同程度の電気的特性を有する材料で構成される。より具体的には、乳房表面でのマイクロ波の反射防止のために乳房カップ１２１、アンテナ容器１２０及び筐体１１０は、人の乳房と同程度の誘電率を有する材料（誘電体）で構成され、被検体（乳房）と乳房カップ１２１は密着して使用される。人の乳房と同程度の誘電率を有する誘電体として、例えば、ＦＲＰ（ＦｉｂｅｒＲｅｉｎｆｏｒｃｅｄ  Ｐｌａｓｔｉｃｓ：ガラス繊維強化プラスチック）を使用してもよい。
【００３６】
本実施形態の一例として、ＦＲＰの乳房カップ１２１は、ＦＲＰ製のアンテナ容器１２０の内側に密着して配置される。乳房カップ１２１と被検体（乳房）とを密着させるために、被検体（乳房）に応じたサイズの乳房カップを用いる。乳房カップ１２１の交換を容易にするために乳房カップ１２１の外形はアンテナ容器１２０の内径と同じとする。また、アレイアンテナ５０は、ＦＲＰ製のアンテナ容器１２０の上面１２０ｆ以外の全ての５つの面１２０ａ，１２０ｂ，１２０ｃ，１２０ｄ，１２０ｅに、それぞれ密着して配置される。また、アンテナ容器１２０は、ＦＲＰ製の筐体１１０の内側に密着して配置される。ＦＲＰ製の筐体１１０には、ＦＲＰ厚板を使用してもよい。
【００３７】
本実施形態の一例として、マンモグラフィ装置が使用するトモグラフィ計算アルゴリズムは、ＦＢＴＳ（Ｆｏｒｗａｒｄ−Ｂａｃｋｗａｒｄ  Ｔｉｍｅ−Ｓｔｅｐｐｉｎｇ）法である。また、ＦＢＴＳ法が利用する周波数の一例として、１ＧＨｚから６ＧＨｚまでの広い周波数帯域を利用する。ここで、本実施形態に係るＣＴ用アンテナ装置１００に使用されるアンテナ１は、上記した図４及び図５に示すミュレーション結果から、１ＧＨｚから７ＧＨｚまでの周波数で良好な周波数特性である。これにより、ＣＴ用アンテナ装置１００は、ＦＢＴＳ法を用いるマンモグラフィ装置に好適である。
【００３８】
本実施形態に係るマンモグラフィ装置は、ＣＴ用アンテナ装置１００の送信用のアンテナ１からアンテナ容器１２０の内側に向けて１ＧＨｚから６ＧＨｚまでの周波数の電波を照射し、ＣＴ用アンテナ装置１００の受信用のアンテナ１で受信した信号を使用してＦＢＴＳ法によるトモグラフィ計算を行い、アンテナ容器１２０の内側に存在する被検体（乳房）のコンピュータ断層診断処理を行う。
【００３９】
本実施形態に係るＣＴ用アンテナ装置１００のアンテナ１によれば、１ＧＨｚから６ＧＨｚまでの周波数で良好な周波数特性が得られるので、ＦＢＴＳ法により良好なトモグラフィ計算を行うことができる。また、アンテナ１は、面状のパッチアンテナ２及びテーパ形バラン３により面放射を行う。面状のアンテナ１は、トモグラフィ計算対象をメッシュ状に区切るＦＢＴＳ法において、モデル化が容易であるので、ＦＢＴＳ法のコンピュータ処理の計算との整合性がよいアンテナである。
【００４０】
また、ＣＴ用アンテナ装置１００の乳房カップ１２１、アンテナ容器１２０及び筐体１１０の材料として、人の乳房と同程度の誘電率を有する誘電体である例えばＦＲＰを使用することにより、電波の反射を抑制することができる。これは、ＦＢＴＳ法によるトモグラフィ計算結果の精度向上に寄与する。
【００４１】
また、アンテナ１が面状であるので、アレイアンテナ５０の組み立てにはねじ等の部品を用いなくてもよく、アンテナ１をアンテナ容器１２０の面に貼り付ける簡単な組み立て方法によりアレイアンテナ５０を組み立てることができる。また、ねじ等の部品は、ＦＢＴＳ法によるトモグラフィ計算を複雑にするが、本実施形態によれば、ねじ等の部品を用いなくてもよいので、この点でもＦＢＴＳ法のコンピュータ処理の計算との整合性がよい。
【００４２】
上述したように本実施形態によれば、周波数特性やコンピュータ処理との整合性を改善することができる、アンテナ１、アレイアンテナ５０及びＣＴ用アンテナ装置１００を提供することができるという効果が得られる。
【００４３】
以上、本発明の実施形態について図面を参照して詳述してきたが、具体的な構成はこの実施形態に限られるものではなく、本発明の要旨を逸脱しない範囲の設計変更等も含まれる。
【００４４】
例えば、図１に示されるアンテナの形状は、本実施形態の一例であって、これに限定されず、アンテナ形状の変形が可能である。また、図６に示されるアレイアンテナにおける複数のアンテナの配置は、本実施形態の一例であって、これに限定されず、複数のアンテナの配置の変形が可能である。
【００４５】
［変形例］
図８は、本実施形態の変形例に係るアンテナの構成を示す平面図である。図８に示されるアンテナ１ａは、パッチアンテナ２ａの形状が略長方形であり、スリット７を備えない点において、上述したパッチアンテナ２と異なる。上述したアンテナ１と同一の構成については、同一の符号を付してその説明を省略する。
【００４６】
アンテナ１ａは、パッチアンテナ２ａを備える。パッチアンテナ２ａは、面状の第１アンテナ素子である。パッチアンテナ２ａは、長手方向の対辺と短手方向の対辺とを有する。ここで、長手方向とは、図８に示す全長Ｌの方向である。短手方向とは、図８に示す全幅Ｗの方向である。以下の説明では、パッチアンテナ２ａの長手方向の辺を長辺と、短手方向の辺を短辺とも記載する。
パッチアンテナ２ａと給電ライン６とは、パッチアンテナ２ａの中点部Ｍにおいて接続されている。ここで、中点部Ｍとは、パッチアンテナ２ａの長辺上の位置かつ短辺の長さの中点部分である。パッチアンテナ２ａの短辺の長さを幅Ｗ２とすれば、中点部Ｍは、パッチアンテナ２ａの長辺と、幅Ｗ２１＝幅Ｗ２２となる中心線との交点を含んだ場所に位置する。
【００４７】
換言すれば、パッチアンテナ２ａは、領域７ａに、図１に示したスリット７を備えていない。したがって、パッチアンテナ２ａは、略長方形状であり、第１長辺の長さＬ２１と、第２長辺の長さＬ２２とが略一致している。すなわち、パッチアンテナ２ａは、長手方向の対辺の長さ（すなわち、長辺の長さ）が互いに一致している。
【００４８】
図９及び図１０は、図８に示すアンテナの周波数特性のシミュレーション結果を示すグラフ図である。
図９において、横軸は周波数（単位はＧＨｚ）を示し、縦軸はＳ２１パラメータ（単位はｄＢ）を示す。図９に示されるグラフ３３は、上述したアンテナ１を同一方向に向かい合わせた場合のＳ２１パラメータのシミュレーション結果である。図９に示されるグラフ３３ａは、アンテナ１ａを同一方向に向かい合わせた場合のＳ２１パラメータのシミュレーション結果である。Ｓ２１パラメータは、２つのアンテナ間の伝達特性を示すものである。
図１０において、横軸は周波数（単位はＧＨｚ）を示し、縦軸はＳ２１パラメータ（単位はｄＢ）を示す。図１０に示されるグラフ３４は、上述したアンテナ１を反対方向に向かい合わせた場合のＳ２１パラメータのシミュレーション結果である。図１０に示されるグラフ３４ａは、上述したアンテナ１ａを反対方向に向かい合わせた場合のＳ２１パラメータのシミュレーション結果である。
【００４９】
図９のグラフ３３、グラフ３３ａ及び図１０のグラフ３４、グラフ３４ａのシミュレーション条件を以下に示す。
アンテナ１及びアンテナ１ａの各サイズＬ，Ｗ，Ｔは以下である。
アンテナ１及びアンテナ１ａの全長Ｌ：４２ミリメートル
アンテナ１のスリット７の深さＴ：３．２ミリメートル
アンテナ１及びアンテナ１ａのテーパ形バラン３の全幅Ｗ：２３．２ミリメートル
【００５０】
図９のグラフ３３とグラフ３３ａとを比較すると、５〜６ＧＨｚの周波数帯域（図９の帯域Ｂ）において、グラフ３３では利得が低下しているのに対して、グラフ３３ａでは利得が低下していない。この結果から、アンテナ１ａは、少なくとも図９の帯域Ｂにおいて、アンテナ１に比べて良好な周波数特性を有していることが分かる。
【００５１】
また、上述した実施形態では、本実施形態に係るアンテナをマンモグラフィ装置に適用したが、マンモグラフィ装置以外の他のマイクロ波イメージング装置に適用してもよい。
また、本実施形態に係るアンテナによれば、１ＧＨｚから６ＧＨｚまでの周波数で良好な周波数特性が得られるので、当該周波数を利用する各種の装置に対して本実施形態に係るアンテナを適用してもよい。
【符号の説明】
【００５２】
１、１ａ…アンテナ、２、２ａ…パッチアンテナ、３…テーパ形バラン、４…接地部、５…給電点、６…給電ライン、７…スリット、１１…給電配線、５０…アレイアンテナ、１００…コンピュータ断層診断装置用アンテナ装置、１１０…筐体、１２０…アンテナ容器、１２１…乳房カップ
【図１】
2020145673.tif 000003
【図２】
2020145673.tif 000004
【図３】
2020145673.tif 000005
【図４】
2020145673.tif 000006
【図５】
2020145673.tif 000007
【図６】
2020145673.tif 000008
【図７】
2020145673.tif 000009
【図８】
2020145673.tif 000010
【図９】
2020145673.tif 000011
【図１０】
2020145673.tif 000012